(57)【要約】      （修正有）【課題】本考案は、熱中症、病気等に依る、発熱時に、前頭部、後頭部を、同時に冷却し、保冷時間を長く保持できて、焼却による大気汚染を防ぐことができる、冷却器を提供する。【解決手段】本考案は、熱中症、急な発熱時に、前後頭部を同時に冷却するため、冷却枕冷却パット、１に、断熱性ホ−スを連結、二個の保冷容器を上下設置台、５を作り、設置台の中間に、棚枠を設置し、上段保冷容器、６に、氷塊、塩と水に保冷剤袋を入れ、電動ホンプで、断熱性ホ−スで循環、冷却枕、冷却パットを冷却する、前後頭部を同時に冷却する冷却器。【選択図】図１
0003142839.tif 000002
【実用新案登録請求の範囲】
【請求項１】
本考案は、熱中症、急な発熱時に、不要に成ったウレタンホ−ムを、洗浄殺菌細断し、ビニ−ル等の、保冷剤枕袋に入れ、後頭部を冷却、前頭部に当てる、冷却パット（冷却する袋）を作り、ウレタンホ−ムを、更に、細片化し、冷却パットに入れ冷却水を、循環冷却する、断熱性ホ−スに依り循環させ、二個の断熱保冷容器を乗せる、四本の支柱間に、隙間の有る、棚を設置、上下二段に分け、断熱性保冷容器を、上下の棚に置いて、冷却液を循環するため、電動ポンプを使用して、冷却液を循環し、上下の断熱保冷容器を接続し、断熱保冷容器には、密着する蓋を設置、上段の保冷容器の、下の部分の接続する、断熱ホ−スに栓と止めコックを設置、中間に分岐コックを設置し下段の、断熱保冷容器の蓋に、断熱ホ−スに、栓と止コックを設置、蓋の上部分に、止コックと栓を設置、分岐コックより分流し、冷却液を前頭部に当てる、冷却パットの、両端に断熱ホ−スを接続し、止め栓を付け、反対側の、断熱ホ−スで循環する冷却液を循環、後頭部冷却枕に接続し、設置台の下段の、断熱保冷容器に設置した断熱ホ−スに還流し上段に置く、断熱保冷容器に入れる、冷却液は氷塊に適量の塩と水を入れ、保冷剤の小型袋を入れる事で、冷却温度を調節する事が出来る、電動ポンプに依り冷却液を還流する、前後頭部同時冷却する冷却器。
【考案の詳細な説明】
【技術分野】
【０００１】本考案は、熱中症、急な発熱時に、前額部を冷却パット（冷却する袋）に依り後頭部を冷却する、冷却枕、冷却パットの袋に、ウレタンホ−ムを裁断細片化して入れ、二個の保冷容器を、四本支柱に二段の、隙間の有る棚を設置、断熱保冷容器設置台を作り、上下の保冷容器の蓋の部分に接続、断熱連結ホ−スを取付け、上段に設置した保冷容器の下部より、取付け栓に止めコックを取付け冷却パット、冷却枕に断熱ホ−スを、取付け栓を設置し、冷却液を循環する、氷塊に適量の塩水を混入し、保冷剤の袋を入れ、冷却温度を調節し上段の断熱保冷容器に冷却液を入れ、各部分に設置した、断熱ホ−スを接続の、栓に止めコックを取付け、冷却液を循環して、下段の、断熱保冷容器に、連結する断熱ホ−スに依り、流入し、電動ポンプに依り、下段の、断熱保冷容器の下部より断熱ホ−スより、上段の断熱保冷容器連結し、保冷液の循環を自動適に循環を繰り返す事が出来る、設前後頭部を同時に冷却出来る冷却器。
【背景技術】
【０００２】  本考案は、熱中症、病気等で発熱時に使用する、ビニ−ルの等の袋を使用、冷却枕の袋の内に、ウレタンホ−ムを、適度に細断し袋の内に入れ、冷却した冷却液を保冷容器より循環し、前額部と後頭部を冷却する、冷却液は、氷塊に適する量の塩と水を混入、保冷剤袋を入れる、冷却温度の調節し、断熱容器に入れる、冷却パット、冷却枕には、上段の断熱保冷容器より、冷却液を、断熱ホ−スで、冷却液を循環し、冷却パット、冷却枕を冷却する、上下二段に設置する、断熱保冷容器より冷却液を、冷却枕冷却パットに循環する、下段の保冷容器に排出し、保冷容器に設置した蓋栓に、循環ホ−スを取り付け、冷却液の止め栓を設置し、上段に設置した断熱保冷容器に冷却液を入れて、冷却パット冷却枕には、保冷容器に設置した、ホ−スに分岐コックを取り付け、冷却液を分岐配分出来、電動ポンプに依り連続冷却し、上段の断熱保冷容器に還流する前後頭部を同時に冷却する冷却器。
【考案の開示】
【考案が解決しようとする課題】
【０００３】  本考案は、熱中症、急な発熱時に、氷枕、保冷剤枕を使用、前額部は冷水にタオルを湿らせる、氷嚢を額に当てる、保冷剤を当てる、吸収ポリマ−に冷却液を吸収させ、額に貼付し潜熱効果に依り冷却する、方法が有るが、汗によりずれて貼付位置が、変わる問題が有る、前後頭部を同時に、冷却する冷却器により課題を解決する。
【考案を解決しようとする手段】
【０００４】本考案は、熱中症、急な発熱時に、前後の頭部を同時に冷却するため、二個の断熱性容器を、四本の支柱の間に、隙間の有る棚を作り、上下二段に設置する断熱保冷容器を置き、上段の保冷容器に入れる冷却液は、氷塊に水と適量の塩を、混入し、保冷剤袋を入れ、冷却温度を調節する、上段の保冷容器の下部に断熱ホ−スと止め栓を取付け、中間に分岐コックを取付け、電動ポンプを使用断熱ホ−スで冷却液を循環するため、前頭部の冷却パットの左右両端に設置の栓より冷却液の流入する、冷却パットの反対側に端に、取付けた排出栓より、冷却液を排出し、断熱ホ−スに依り、冷却液の流入栓より流入し、後頭部の、冷却枕を冷却し、排出栓より、断熱ホ−スに依り、下段に置いた、保冷容器の下部に、取付け栓、止めコックで、断熱ホ−スに依り、電動ポンプで、循環還流し、断熱保冷容器に排出し、前頭部冷却パットと後頭部冷却枕の内部にはウレタンホ−ムを裁断細片化し入れ、断熱ホ−スを取付けた栓に止めコックを設置し、上段に置いた断熱保冷容器に還流、連続循環使用出来る、前後頭部を同時に冷却する冷却器。
【考案の効果】
【０００５】  本考案は、熱中症、急な発熱時に従来は、前額部と後頭部を、枕用保冷剤、氷枕等を使用し冷却、前額部は別に、額に貼付して使用、冷却液蒸発に依る、潜熱効果を利用して冷却する場合、額に密着するため、汗に依り冷却シ−トの位置が、ずれて乳幼児の場合、呼吸が出来なく成った例が有る、額を冷却する保冷剤は、保冷時間が短時間で頻繁に交換する、必要が有り、以前は、氷嚢、冷水タオルを使用して居た、前頭部と後頭部を同時に冷却するため、冷却液を上段に下段に設置する保冷容器に、密着蓋を設置、止め栓を取付け保冷容器の上下の保冷容器を、設置台の中間に容器を設置し、隙間のある棚を作り下段の容器に循環ホ−スを、接続冷却後の冷却液を、断熱保冷容器を、上段の容器に還流依り、連続して使用出来、電動ポンプ等を使用し冷却、する事が出来る、この冷却器を使用し、自動車に装着の、チャイルドシ−トに、乗せる乳幼児の身体に設置し、断熱保冷容器に予備の、保冷剤袋を用意して置き保冷剤を交換保冷時間を長く保持出来る、乳幼児が熱中症になる事を防ぐ効果を得る、廃棄する、ウレタンホ−ムを、洗浄殺菌して使用する事で、焼却に依る大気汚染を防ぐ効果が有る、前後頭部を同時に冷却する冷却器。
【考案を実施するための最良の手段】
【０００６】本考案は、熱中症、急な発熱時に、前額部と後頭部、首筋を、同時に冷却する冷却するため、断熱保冷容器を二個作り、容器を置く台を、四本の支柱と間に隙間の有る棚を設置し、断熱保冷容器を上段下段に置く台を作り、冷却液を、循環させる、断熱ホ−スに依り循環し、前頭部を冷却する、冷却パットの両端に、連結栓を設置連結する、後頭部を冷却する、冷却枕に断熱ホ−スを両端に連結し、連結栓を設置し、断熱ホ−スに連結循環するため、電動ポンプに依り断熱保冷容器の上部に還流する、冷却パット、冷却枕内に、ウレタンホ−スを細断適する形状に裁断する、上部の断熱容器に入れる冷却液は、氷塊に適量の塩と水を混入し、保冷剤袋を入れ、冷却温度を調節する、断熱容器の密着する蓋を設置、上段の断熱容器の蓋に、取付け栓を設置し、断熱ホ−スを接続して上段の断熱容器の下部に、断熱ホ−ス接続栓を設置し、循環するホ−スを設置分岐コックと止め栓を取付け、下段に置いた断熱保冷容器の、設置した栓に、循環流入し、下段の断熱保冷容器の下部より、再び、冷却パットに循環還流し連続して、冷却液を循環する事が出来る、前後頭部を同時に冷却する冷却器。
【実施例】
【０００７】  熱中症、急な発熱時に、前額部と後頭部、を同時に冷却するため、後頭部を冷却する枕、１の内部に、ウレタンホ−ムを適する体積に細断し、２を入れて冷却枕を作り、前頭部冷却する、冷却パット３、に、ウレタンホ−ムを、更に細片化し、冷却パットの袋に入れた、４に、冷却液には氷塊に適量の塩と水を混入、保冷剤袋を入れた冷却液を、二個の断熱保冷容器、５を作り、上部保冷容器に密栓する蓋を設置、上下の断熱性容器、６に連結ホ−スと止め栓、７を設置し、下段の断熱保冷容器を連結し、断熱ホ−スの中間に取付け分岐コックに止め栓、８を設置し、冷却液を循環する断熱ホ−ス、８を、取付け冷却液を循環する、断熱保冷容器を設置した、保冷容器の設置台、９を作り中間に断熱保冷容器を、置く隙間の有る棚、１０を設置、上段の断熱保冷容器に蓋を付け上段容器の下部、１１に断熱ホ−ス取付け口に、止め栓を取付け、下段に置く断熱保冷容器には、上部に連結する断熱ホ−ス、１２、を接続し、上段の断熱保冷容器下部に設置の、断熱ホ−ス、１３より循環する、後頭部の冷却枕より下部の保冷容器の下部に、冷却液を排出する栓と、断熱ホ−スを連結し、断熱ホ−スの位置の各部分に、取付け口に栓を設置して、断熱保冷容器より、冷却パット、冷却枕より循環した冷却液を排出し、断熱保冷容器の、断熱ホ−スを電動ポンプに依り、上段に設置した、保冷容器に移し、保冷剤袋、１４を交換し、冷却に適する、温度に調整し、電動ポンプに依り、冷却液を循環する、前後頭部を同時に、冷却する冷却器。
【産業上の利用可能性】
【０００９】  本考案は、熱中症、急な発熱時に、保冷容器入れを、二個作り、上下に設置する、四本の支柱の間に、隙間の有る棚を設置し、上下に断熱保冷容器を置き冷却袋に依って、前述の詳細に説明した、前後頭部を同時冷却する冷却器を、提供する事に依って、乳幼児の、チャイルドシ−ト装着、熱中症を防止出来る予備の保冷剤を携帯して置き、戦後頭部を同時に冷却する冷却器を提供する。
【図面の簡単な説明】
【００１０】
【図１】  保冷容器設置台と保冷容器の側面透視図、
【図２】  前後頭部を冷却する冷却パットと冷却枕、
【図３】  保冷容器設置台に置く二個の断熱保冷容器、
【符号の説明】
【００１１】１      前後頭部の部分を冷却する、冷却パットと冷却枕、
２      冷却枕の内部に入れるウレタンホ−ムを裁断細片化したもの、
３      前頭部の冷却パットとに、更に細片化し入れるウレタンホ−ム、
４      氷塊に適量の塩と水を混入し保冷剤袋を入れる保冷容器の冷却液、
５      二個の保冷容器を置く設置台の中間に隙間の有る棚を設置台、
６      上段の断熱保冷容器の上に密着する蓋、
７      上段の保冷容器に設置する連結ホ−スと分岐栓と止め栓、
８      上下の保冷容器に連結する断熱ホ−スと分岐コックと止め栓、
９      冷却パットと枕の冷却液を循環する断熱性ホ−スを取付け部分、
１０    冷却パットを冷却枕を循環する断熱性ホ−スの取付け部分、
１１    上下段の断熱保冷容器と上に密着する蓋、
１２    上段の保冷容器内の冷却液を冷却する保冷剤袋、
１３    上段の保冷容器の下部分に取付ける断熱ホ−スと止め栓、
１４    下段の保冷容器の下部に設置する断熱ホ−スと止め栓、
１５    下段の断熱ホ−スで冷却液を電動ポンプで上段に戻すホ−スと栓、
１６    断熱保冷容器を置く設置台の支柱、
【図１】
0003142839.tif 000003
【図２】
0003142839.tif 000004
【図３】
0003142839.tif 000005
【手続補正書】
【提出日】平成19年8月28日(2007.8.28)
【手続補正１】
【補正対象書類名】実用新案登録請求の範囲
【補正対象項目名】全文
【補正方法】変更
【補正の内容】
【実用新案登録請求の範囲】
【請求項１】
熱中症、急な発熱時に、不要に成ったウレタンホ−ムを、（以下発泡ウレタンと称する）洗浄殺菌して、ビニ−ルシ−トの袋を、頭部に巻き付けるため、底辺の長い長方形の袋の首に当る部分を、張り出した形状に作り（以下この表現を立体裁断と称する）両端を面ファスナ−で接続し、発泡ウレタンを袋に入れるため、適する容積に裁断、袋の周囲を加熱接着し、発泡ウレタンを入れ、冷却液を通す栓を両端に設置、冷却液を送入排出する、断熱ホ−スを接続、冷却液を送入排出、断熱ホ−スを接続、断熱ホ−スを延長して断熱保冷容器の内を断熱板仕切り、二分割片側の保冷容器に氷塊と少量の塩を混入、冷却水を入れ、反対側の部分に冷凍した保冷剤を、必要な数量を入れて置き、冷却袋より排出の冷却液を送入、断熱仕切り板に冷却液を通す栓に接続した、ホ−スに依り保冷剤を冷凍し、入れて置いた片側に、冷却液を循環する電動ポンプを使用し循環を繰り返し、断熱保冷容器の上部に設置の、栓に依り外部の断熱ホ−スを接続送入片側の、断熱保冷容器の内部ホ−スを、断熱容器底面に延長、冷却液を循環、分割した反対側の部分に流入し、外部断熱ホ−スに、接続し冷却液を循環、冷却温度を調節、前後頭部を同時に冷却する冷却器。
【手続補正２】
【補正対象書類名】明細書
【補正対象項目名】全文
【補正方法】変更
【補正の内容】
【考案の詳細な説明】
【技術分野】
【０００１】本考案は、熱中症、急な発熱時に、前後頭部を同時に冷却し、断熱保冷容器の内に、断熱仕切り板を設置、密着する蓋を設置し、断熱容器の片側に入れる、冷却液は氷塊に少量の水と塩を加え、冷凍した、保冷剤袋を入れ、冷却温度を調節し、断熱仕切り板に、冷却液を通す栓を設置し、内部ホ−スを接続、断熱保冷容器の底部に、冷却液を通す栓を設置し、外側の断熱ホ−スに接続、電動ポンプで循環する、反対側に冷凍した、保冷剤袋を入れて置き、還流循環し、断熱保冷容器より断熱ホ−スを、発泡ウレタンを入る袋を、ビニ−ルシ−トを立体裁断し、冷却袋の両端を、面ファスナ−に依り、接着し両端に冷却液を、通す栓を設置、送入排出する、断熱ホ−スを接続し、断熱保冷容器より延長し断熱ホ−スに連結、循環する、前後頭部を同時に冷却する冷却器。
【背景技術】
【０００２】  従来の、熱中症、病気等で発熱時に使用する、ビニ−ルの等の袋を使用した保冷剤等と、吸収ポリマ−を、布に貼付、冷却液と蒸発液を、吸収ポリマ−に吸収させ、貼付し、冷却効果を得る製品等が有るが、汗で、貼付位置がずれて呼吸出来ない事例が有った、従来の保冷剤は、額を冷却するには、重過ぎる、この、前後頭部を同時冷却する冷却用器は、軽量で長時間頭部を出来る。
【考案の開示】
【考案が解決しようとする課題】
【０００３】  従来は、熱中症、急な発熱時に、氷枕、保冷剤枕を使用、前額部は冷水にタオルを湿らせ冷やす、氷嚢を額に当て冷やす、保冷剤を装着冷却する、吸収ポリマ−に、冷却液を吸収させ、額に貼付し潜熱効果に依り冷却する、方法が有るが、汗により位置がずれて、貼付位置が変わる問題が有る、救急車の到着する間に手遅れ成る事を防ぐ、前後頭部を同時に冷却する冷却用器で解決する。
【考案を解決しようとする手段】
【０００４】  本考案は、熱中症、急な発熱時に、主な材料に、廃棄される発泡ウレタンを洗浄殺菌し、適する容積に裁断し、ビニ−ルシ−ト、二枚を頭部に巻き付ける様に、立体裁断、ビニ−ル、シ−ト、二枚の周囲を加熱接着、発泡ウレタンを適する容積に裁断し袋に入れ、両端の二ヶ所に、面ファスナ−を装着、両端に冷却液を送入、排出する栓を設置、双方の栓に断熱ホ−スを延長し、接続断熱保冷容器の内部を二分割して、断熱仕切り板を設置、片側に氷塊と少量の塩を混入、冷却水を入れ、反対側に冷凍した保冷剤を、必要な数を入れて置き冷却温度を適する温度に調節し、密着する蓋を設置、断熱容器の内に底面に達するホ−スを接続し、断熱保冷容器の底部に、冷却液を通す栓を設置し、接続する断熱ホ−スを、片側の仕切られた部分に冷却液を、冷凍した保冷剤に依り排出した保冷液を、電動ポンプで再循環する、前後頭部を同時に冷却する冷却器。
【考案の効果】
【０００５】  本考案は、熱中症、急な発熱時に、手軽に前後頭部を冷却する、冷却器を用意して置き、家庭では、冷凍庫に冷凍して置いた保冷剤袋を使用、自動車で外出の場合は、ク−ラ−ボックスに、予備の保冷剤を用意して置き、救急車の到着を待つ間に、手遅れにならない様に、乳幼児が、急に発熱た場合に、前後頭部を同時に冷却する、冷却器を使用し、自動車のチャイルドシ−トを装着し乗せた、乳幼児の、前後頭部に装着し、保冷時間を長く保持出来る、乳幼児の熱中症を防ぐ、効果を得る事が出来、更に、焼却する、発泡ウレタンを再利用する事で、大気汚染減少効果が有る、前後頭部を同時に冷却する冷却器の提供。
【考案を実施するための最良の手段】
【０００６】本考案は、熱中症、急な発熱時に、廃棄焼却する、発泡ウレタンを、適する、容積に裁断し、二枚の、ビニ−ルシ−トを使用、前後頭部に、巻き付ける様に立体裁断、発泡ウレタンを入れ、周囲を接着し、袋の両端を、面ファスナ−を使用し接着する其の部分に、冷却液を送入、排出する栓を設置、断熱ホ−スを袋の両端に接続、冷却液を送入排出する、断熱ホ−スを接続延長し、断熱保冷容器の内部に断熱仕切り板を設置、密着する蓋を設置、断熱保冷容器の上部に、冷却液を送入、排出の栓を設置、断熱容器内の底面まで、冷却液を送入、排出する、ホ−スを、栓に接続、蓋の外側部分に出した、栓に断熱ホ−スを接続し延長し、断熱容器の片側部分に氷塊と少量の塩と冷却水を加え、断熱仕切り板で、仕切り、反対側の部分に冷凍した、保冷剤を入れｗ、冷却液温度を適する冷却温度に調節し、前後頭部を冷却する断熱ホ−スに接続、冷却液を送入して排出、断熱ホ−スより、電動ポンプに依り循環し、断熱容器に排出し冷却液を再循環し、長時間冷却出来る、前後の頭部を同時に冷却する冷却器。
【実施例】
【０００７】  熱中症、急な発熱時に、発泡ウレタンを、適する容積に裁断した、１に、前後の頭部に巻き付ける様に、装着するため、二枚のビニ−ルシ−トを使用、２、の、立体裁断した、３に、発泡ウレタンを入れ、周囲を加熱接着し両端の二ヶ所、４に、面ファスナ−を接着装着し、５の、冷却袋の両端に設置した、栓に冷却液を、送入排出する、断熱ホ−ス、６を接続延長し、断熱保冷容器、７の、冷却液を通す、栓を設置し、断熱ホ−スを接続、断熱保冷容器の内部に断熱仕切り板、７を設置、冷却液を通す、栓、８に冷却液を送入するホ−ス、９を、接続して、断熱保冷容器の外部に冷却液を送入する、栓、１０に、外部断熱ホ−ス、１１を接続し、電動ポンプ、１２に依り、再循環する、断熱保冷容器を、仕切り板で仕切った部分の片側、１３に、氷塊に少量の塩を混入して冷却水を入れ送入、１４、の反対側の部分に冷凍した保冷剤を入れた、１５に冷却液を内部ホ−ス、１６で、循環、断熱保冷容器上部に設置の、栓、１７に接続する、外部の断熱ホ−スを接続、延長、冷却液を送入、排出、再循環する前後頭部を同時に冷却する冷却器。
【産業上の利用可能性】
【０００８】  本考案は、熱中症、急な発熱時に、前述の詳細に説明の、前後頭部を同時に冷却するため、立体的に裁断し、ビニ−ルシ−ト製袋に、廃棄焼却する、発泡ウレタンを洗浄殺菌、細分化裁断、冷却液を断熱ホ−スで、断熱保冷容器より電動ポンプで、循環する、前後頭部を頭部を同時冷却する冷却器。
【図面の簡単な説明】
【０００９】
【図１】  断熱保冷容器の斜視図、
【図２】  前後頭部を冷却する立体裁断したビニ−ルシ−トの袋、
【図３】  前後頭部に冷却袋を装着した図、
【符号の説明】
【００１０】１    発泡ウレタンを適する容積に裁断したもの、
２    ビニ−ルシ−トを立体裁断した袋、
３    両端の二ヶ所に装着する面ファスナ−を接着装着したもの、
４    袋の両端に面ファスナ−接着部分に設置する冷却液を通す栓、
５    冷却袋の両端に接続する送入排出用の栓、
６    冷却液を送入排出する断熱ホ−ス、
７    断熱保冷容器内部に設置する断熱仕切り板、
８    仕切り板に設置した冷却液を通す栓、
９    仕切り板に設置した栓に接続するホ−ス、
１０  断熱保冷容器の冷却液を外部より送入する栓、
１１  外部断熱ホ−ス、
１２  電動ポンプ、
１３  仕切り板で仕切った片側の部分、
１４  仕切り板の片側部分に入れた氷塊と少量の塩と冷却水、
１５  反対側に冷凍凍結した保冷剤袋を入れた部分、
１６  内部ホ−ス、
１７  断熱保冷容器上部に設置の冷却液を排出する栓、
0003142839.tif 000006
0003142839.tif 000007